(57)【要約】  冷蔵庫は、前面に開口部が設けられ、少なくとも一つの貯蔵室を有する冷蔵庫本体と、貯蔵室の開口部を開閉自在に塞ぐ観音開き式の左右扉部と、左右扉部の境界に設けられた隙間部を貯蔵室側から閉塞する仕切り部材と、左右扉部の周縁に沿って設けられたガスケットと、を備えている。仕切り部材は、凹形状の枠部材と、枠部材の開口面を塞ぐ前面板と、前面板を加熱する加熱部と、を有している。ガスケットは、隙間部に側面部を隣接させて設けられ、前面板を密着させる磁性体が挿入された磁性体保持部と、磁性体保持部の側面部に設けられ、貯蔵室の高さ方向に沿って中空部が形成された中空構造部と、中空構造部から隙間部に向かって突き出したヒレ部と、を有している。
2019171533.tif 000002
【特許請求の範囲】
【請求項１】
前面に開口部が設けられ、少なくとも一つの貯蔵室を有する冷蔵庫本体と、
前記貯蔵室の開口部を開閉自在に塞ぐ観音開き式の左右扉部と、
前記左右扉部の境界に設けられた隙間部を前記貯蔵室側から閉塞する仕切り部材と、
前記左右扉部の周縁に沿って設けられたガスケットと、を備え、
前記仕切り部材は、凹形状の枠部材と、前記枠部材の開口面を塞ぐ前面板と、前記前面板を加熱する加熱部と、を有し、
前記ガスケットは、
前記隙間部に側面部を隣接させて設けられ、前記前面板を密着させる磁性体が挿入された磁性体保持部と、
前記磁性体保持部の前記側面部に設けられ、前記貯蔵室の高さ方向に沿って中空部が形成された中空構造部と、
前記中空構造部から前記隙間部に向かって突き出したヒレ部と、を有している、冷蔵庫。
【請求項２】
前記中空構造部は、
前記磁性体保持部の前記側面部の高さ方向における一端縁から前記隙間部に向かって延伸させた延伸壁と、
前記側面部の高さ方向における他端縁と前記延伸壁とを繋ぐ連結壁と、を有し、
前記中空部は、前記側面部と、前記延伸壁と、前記連結壁とで囲まれた範囲によって形成されている、請求項１に記載の冷蔵庫。
【請求項３】
前記中空構造部には、前記貯蔵室の高さ方向の両端面を塞ぐ閉塞部が設けられている、請求項１又は２に記載の冷蔵庫。
【発明の詳細な説明】
【技術分野】
【０００１】
本発明は、貯蔵室の開口部を塞ぐ観音開き式の扉部を有する冷蔵庫に関するものである。
【背景技術】
【０００２】
冷蔵庫には、冷蔵庫本体に形成された貯蔵室の開口部を塞ぐ観音開き式の扉部を有する構成がある。観音開き式の扉部は、冷蔵室左扉及び冷蔵室右扉と、冷蔵室左扉と冷蔵室右扉との間に設けられた隙間部を塞ぐ仕切り部材とで構成されている。仕切り部材は、外気と冷蔵室の内部との温度差によって表面に発生する露付きを防止するために、熱伝部材と熱伝部材を加熱するヒータ等の加熱部とを有している。冷蔵庫では、設置される場所の室温及び湿度に合わせて加熱部による加熱を時間割合で変化させて表面温度を調節し、省エネ性を高めている。【０００３】
例えば特許文献１に開示された冷蔵庫では、熱伝部材が合成樹脂製であり、加熱部が熱伝部材の長手方向に沿って直線的に配置されている。加熱部は、１本のヒータで発熱量の異なる複数の部位を形成し、仕切り部材の長手方向において両端部よりも中央部の発熱量を大きくした構成である。【０００４】
また、特許文献２に開示された冷蔵庫では、冷蔵室内の温度分布を高さ方向において上部領域、中間部領域、下部領域に分けた場合、上部領域は相対的に高い温度状態となり、中間部領域は相対的に低い温度状態となり、下部領域は相対的に中程度の温度状態となることに基づいて発熱量を調整した構成である。具体的には、この冷蔵庫では、中間部領域でのヒータを密なジグザグ形状に形成することにより単位発熱量を相対的に大とし、下部領域でのヒータをやや粗なるジグザグ状に形成することにより単位発熱量を相対的に中とし、上部領域でのヒータをストレート形状に形成することにより単位発熱量を相対的に小としている。
【先行技術文献】
【特許文献】
【０００５】
【特許文献１】特許第５９１９５８２号公報
【特許文献２】特開２０１５−１４８３６６号公報
【発明の概要】
【発明が解決しようとする課題】
【０００６】
ところで、仕切り部材は、スムーズに回動できるように、冷蔵室の天面及び底面との間に隙間部を設けて設置されている。そのため、冷蔵室左扉及び冷蔵室右扉の周縁に沿って設けられたガスケットには、該ガスケットの側面部から隙間部に向かって突き出し、仕切り部材の上方及び下方に設けた隙間部を冷蔵庫の外面側から塞ぐヒレ部が設けられている。左右のヒレ部は、冷蔵室左扉と冷蔵室右扉とを閉じた際に重なり合って隙間部を塞ぐ構成である。【０００７】
このヒレ部は、隙間部から流れる冷蔵室の冷気に直接さらされているため、仕切り部材の表面よりも温度が低下しやすい。また、ガスケット６のヒレ部に隣接する部分には、仕切り部材を磁力によって密着させるマグネット等の磁性体を保持する磁性体保持部が設けられている。磁性体は、ガスケットに比べて熱容量が大きいため、冷蔵庫内の冷却を停止させた場合であっても、温度が上がり難く、特に冷蔵室に近接する部分の温度が上がり難い。そのため、磁性体に隣接するヒレ部の根元部分では、当該磁性体の影響を受けて、温度が上がり難く、露付きが発生しやすい。つまり、特許文献１及び２に開示された冷蔵庫では、ヒレ部の根元部分に露付きを発生させないように、加熱部で余分な加熱を行う必要があり、省エネ性に劣ってしまうおそれがある。【０００８】
本発明は、以上のような課題を解決するためになされたもので、加熱部で余分な加熱を行うことなく、ヒレ部の根元部分の温度を高めることができ、露付きの発生を抑制することができる、冷蔵庫を提供することを目的としている。
【課題を解決するための手段】
【０００９】
本発明に係る冷蔵庫は、前面に開口部が設けられ、少なくとも一つの貯蔵室を有する冷蔵庫本体と、前記貯蔵室の開口部を開閉自在に塞ぐ観音開き式の左右扉部と、前記左右扉部の境界に設けられた隙間部を前記貯蔵室側から閉塞する仕切り部材と、前記左右扉部の周縁に沿って設けられたガスケットと、を備え、前記仕切り部材は、凹形状の枠部材と、前記枠部材の開口面を塞ぐ前面板と、前記前面板を加熱する加熱部と、を有し、前記ガスケットは、前記隙間部に側面部を隣接させて設けられ、前記前面板を密着させる磁性体が挿入された磁性体保持部と、前記磁性体保持部の前記側面部に設けられ、前記貯蔵室の高さ方向に沿って中空部が形成された中空構造部と、前記中空構造部から前記隙間部に向かって突き出したヒレ部と、を有しているものである。
【発明の効果】
【００１０】
本発明によれば、磁性体保持部の側面部に設けられた中空構造部が断熱層として機能するので、仕切り部材の加熱部で余分な加熱を行うことなく、ヒレ部の根元部分の温度を高めることができ、露付きの発生を抑制することができる。
【図面の簡単な説明】
【００１１】
【図１】本発明の実施の形態に係る冷蔵庫の正面図である。
【図２】本発明の実施の形態に係る冷蔵庫の冷蔵室左扉であって、ガスケットを取り外した状態を示した背面図である。
【図３】図１に示したＡ部におけるＩＩＩ−ＩＩＩ線矢視であって、冷蔵庫の前面側部分のみを示した断面図である。
【図４】図３に示したＩＶ−ＩＶ線矢視断面図である。
【図５】図３に示したＶ−Ｖ線矢視断面図である。
【図６】図１に示したＡ部であって、冷蔵室左扉を閉じて冷蔵室右扉を開いた状態を示した斜視図である。
【図７】本発明の実施の形態に係る冷蔵庫の中空構造部の構成を模式的に示した説明図である。
【発明を実施するための形態】
【００１２】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１３】
実施の形態．
先ず、図１に基づいて、本実施の形態の冷蔵庫１００の全体構造について説明する。図１は、本発明の実施の形態に係る冷蔵庫の正面図である。冷蔵庫１００は、図１に示すように、前面に開口部を有し、内部を複数の仕切り板で仕切られて複数段の貯蔵室が設けられた冷蔵庫本体１と、冷蔵庫本体１の正面に設けられ、各貯蔵室の開口部を開閉自在に塞ぐ扉部とで構成されている。冷蔵庫本体１には、冷蔵庫１００の内側である樹脂製の内箱と、冷蔵庫１００の外側である鋼板製の外箱とで密封された空間が形成されている。内箱と外箱とで密閉された内部には、真空断熱材が設置され、ウレタンフォームなどの発泡断熱材が充填されている。なお、図示することは省略したが、冷蔵庫本体１の背面側には、冷凍サイクルを構成する圧縮機及び冷却用ファン等が収納されている。
【００１４】
複数段の貯蔵室は、一例として上から順に冷蔵室１０、製氷室１１及び小型冷凍室１２、野菜室１３、冷凍室１４で構成されている。各貯蔵室は、設定可能な温度帯（設定温度帯）によって区別されており、例えば、冷蔵室１０が約３℃、製氷室１１、小型冷凍室１２及び冷凍室１４が約−１２℃〜−１８℃、野菜室１３が約５℃に設定可能となっている。なお、複数段の貯蔵室の構成は、図示した構成に限定されない。また、各貯蔵室の設定温度もこれに限るものではなく、設置場所及び内容物に応じて適宜設定を変更することができる。
【００１５】
冷蔵室１０は、使用頻度が高く、使用者が腰を屈めずに出し入れができる最上段に配置されている。冷蔵室１０の前面開口部には、冷蔵室左扉２及び冷蔵室右扉３とで構成された観音開き式の左右扉部１０ａが設けられている。冷蔵室左扉２及び冷蔵室右扉３は、それぞれ扉回転軸を支えるヒンジ部により回転自在に軸支されている。冷蔵室左扉２と冷蔵室右扉３との境界には、冷蔵室左扉２と冷蔵室右扉３の開閉を可能とするために、隙間部Ｓ１が設けられている。なお、図示することは省略したが、冷蔵室左扉２の上側には、設置される環境に合わせて最適な運転を実現させるために、設置場所の温度を測定する温度センサ及び設置場所の湿度を測定する湿度センサが搭載されている。例えば、冷蔵庫１００は、熱漏洩量が決まっているため、インバータ制御で、圧縮機の速度を可変させたり、冷却用ファンの速度を可変させたりして、周囲の温度に合わせて冷凍能力を調整している。なお、温度センサ及び湿度センサは、冷蔵室左扉２の上側に限定されず、他の箇所に設けてもよい。
【００１６】
製氷室１１の前面開口部には、引き出し式の製氷室扉１１ａが設けられている。小型冷凍室１２の前面開口部には、引き出し式の小型冷凍室扉１２ａが設けられている。野菜室１３の前面開口部には、引き出し式の野菜室扉１３ａが設けられている。また、冷凍室１４の前面開口部には、引き出し式の冷凍室扉１４ａが設けられている。なお、図示することは省略したが、製氷室扉１１ａ、小型冷凍室扉１２ａ、野菜室扉１３ａ及び冷凍室扉１４ａには、室内冷気の外部流出を防ぐ扉ガスケットが、内側周縁に沿って取り付けられている。
【００１７】
次に、本実施の形態における冷蔵室左扉２及び冷蔵室右扉３の構成を図２〜図７に基づいて詳細に説明する。図２は、本発明の実施の形態に係る冷蔵庫の冷蔵室左扉であって、ガスケットを取り外した状態を示した背面図である。図３は、図１に示したＡ部におけるＩＩＩ−ＩＩＩ線矢視であって、冷蔵庫の前面側部分のみを示した断面図である。図４は、図３に示したＩＶ−ＩＶ線矢視断面図である。図５は、図３に示したＶ−Ｖ線矢視断面図である。図６は、図１に示したＡ部であって、冷蔵室左扉を閉じて冷蔵室右扉を開いた状態を示した斜視図である。図７は、本発明の実施の形態に係る冷蔵庫の中空構造部の構成を模式的に示した説明図である。
【００１８】
冷蔵室左扉２は、図２に示すように、板金で形成された扉外枠４と、合成樹脂製の内板５と、扉外枠４と内板５とで囲まれた内部に充填された発泡ウレタン等の断熱材と、内板５の周縁部に沿って設けられたガスケット６と、を有している。なお、冷蔵室右扉３は、冷蔵室左扉２と同様の構成であるため、同一の符号を付して、その説明を省略する。
【００１９】
また、冷蔵室左扉２には、図３〜図６に示すように、冷蔵室左扉２と冷蔵室右扉３の境界に設けられた隙間部Ｓ１を冷蔵室１０側から閉塞し、冷蔵室１０内と外気間の空気の流れを遮断する仕切り部材７が取り付けられている。仕切り部材７は、冷蔵室左扉２にヒンジ固定されており、冷蔵室左扉２の開閉動作に連動して回動する。具体的には、仕切り部材７は、冷蔵室左扉２が開いた状態であると、冷蔵室左扉２の内板５側に回動する。一方、仕切り部材７は、図４及び図５に示すように、冷蔵室左扉２が閉じた状態にあると、冷蔵室左扉２と冷蔵室右扉３との隙間部Ｓ１に向かって回動して、該隙間部Ｓ１を閉塞する。
【００２０】
仕切り部材７は、図３及び図４に示すように、凹形状の枠部材７０と、枠部材７０の開口面を塞ぐ前面板７１と、前面板７１を枠部材７０に取り付けるためのカバー部材７２と、前面板７１を加熱する加熱部７３と、枠部材７０の内部に充填された断熱材７４と、を有している。
【００２１】
枠部材７０は、合成樹脂製であり、図３及び図６に示すように、冷蔵室１０の高さ方向に沿って縦長に形成されている。前面板７１は、例えば金属板で構成されている。前面板７１は、枠部材７０の開口面を塞ぐように縦長に形成され、合成樹脂製のカバー部材７２によって枠部材７０に取り付けられている。前面板７１は、幅方向の中心が、冷蔵室左扉２と冷蔵室右扉３との境界に設けられた隙間部Ｓ１の中心と略一致している。前面板７１は、冷蔵室左扉２と冷蔵室右扉３を閉じた際に、ガスケット６に内蔵された磁性体６１ａの磁力によってガスケット６に密着する。
【００２２】
加熱部７３は、枠部材７０の内部に配置されて前面板７１を加熱するものである。冷蔵庫１００は、冷蔵室１０の内部が冷却されると、外気との温度差により、仕切り部材７の前面板７１に露付きが発生する場合がある。冷蔵庫１００は、露付きの発生を防止するために、加熱部７３で前面板７１を加熱して、前面板７１の表面の温度を露点温度以上に保っている。
【００２３】
加熱部７３は、一例としてニクロム線等の抵抗線が、冷蔵室１０の高さ方向に延在したアルミニウム箔の全体に渡って載置された構成である。加熱部７３によって加熱された前面板７１の熱は、ガスケット６に伝達される。加熱部７３は、温度センサ及び湿度センサによって検出された周囲の温度及び周囲の湿度によって、例えば１０秒のうち５秒だけ通電するなどの通電時間を変化させる制御を行い発熱している。断熱材７４は、例えば発泡スチロールからなり、加熱部７３の熱が冷蔵室１０に伝達されないようにするために設けられている。
【００２４】
また、仕切り部材７には、図３に示すように、枠部材７０の上端部及び下端部に、ガイド溝７５ａを有するガイド部材７５がネジ等の接合部材７６で接合されて設けられている。一方、冷蔵室１０の天井面及び底面には、図３及び図５に示すように、ガイド溝７５ａと嵌合可能なガイド突起部２１を有するガイドパーツ２０が設けられている。仕切り部材７は、冷蔵室左扉２の開閉動作が行われると、ガイド溝７５ａがガイド突起部２１に沿って移動することで回動する。なお、仕切り部材７は、スムーズに回動できるように、上下のガイドパーツ２０との間に例えば２〜５ｍｍ程度の隙間部Ｓ２を設けて設置されている。
【００２５】
次に、冷蔵室左扉２に取り付けられたガスケット６の構造について説明する。なお、冷蔵室右扉３に取り付けられたガスケットは、冷蔵室左扉２のガスケット６と同様の構成なので、同一の符号を付して、その説明を適宜省略する。
【００２６】
ガスケット６は、例えば塩化ビニル製であり、冷蔵室１０から左右扉部１０ａの外部に、冷気が漏れることを抑制するものである。ガスケット６は、図４及び図５に示すように、内板５に形成された溝部５０に嵌め込まれる嵌合部６０と、磁性体６１ａが挿入される中空構造の磁性体保持部６１と、嵌合部６０と磁性体保持部６１とを伸縮自在に接続する可撓部６２と、で構成されている。磁性体保持部６１は、冷蔵庫１００の幅方向に横長の長方形状であり、冷蔵室左扉２と冷蔵室右扉３との間に設けられた隙間部Ｓ１に側面部を隣接させて設けられている。磁性体６１ａは、一例としてマグネットであり、磁性体保持部６１と略同一の形状である。磁性体６１ａは、冷蔵庫１００の奥行方向における厚さが４ｍｍ程度である。なお、図４に示すように、冷蔵室左扉２におけるガスケット６と内板５との間には、冷蔵室１０内の冷気がガスケット６に流れ込むことを抑制するためのパッキン６３が設けられている。
【００２７】
また、ガスケット６には、図４〜図７に示すように、磁性体保持部６１の側面部８２に設けられ、冷蔵室１０の高さ方向に沿って中空部８ａが形成された中空構造部８が設けられている。中空構造部８は、図６及び図７に示すように、磁性体保持部６１の側面部８２の高さ方向における内端縁から隙間部Ｓ１に向かって延伸させた延伸壁８０と、該側面部８２の高さ方向における外端縁と延伸壁８０とを繋ぐ連結壁８１と、で構成されている。つまり、中空構造部８の中空部８ａは、磁性体保持部６１の側面部８２と、延伸壁８０と、連結壁８１とで囲まれた範囲によって形成されている。延伸壁８０及び連結壁８１は、磁性体保持部６１と一体成形してもよいし、別体として成形した後、磁性体保持部６１の側面部８２に溶着してもよい。中空構造部８の中空部８ａは、一例として三角形状に形成されているが、これに限定されない。中空構造部８は、例えば四角形状又は円形状の中空部となるように、連結壁８１の形状を適宜変更して設けてもよい。
【００２８】
中空構造部８には、図７に示すように、冷蔵室１０の高さ方向の両端面を塞ぐ閉塞部８３が設けられている。中空構造部８は、冷蔵室１０の高さ方向の両端面が開口していると、加熱部７３の発熱で中空内部に上昇気流が発生し、内部空気の入れ替えが起こる。つまり、中空構造部８は、冷蔵室１０の高さ方向の両端面を閉塞部８３で塞ぐことで、加熱部７３の発熱で発生する上昇気流を防ぐことができる。よって、中空構造部８は、上昇気流による内部空気の入れ替えを防止することができ、表面温度を効果的に上げることができる。但し、中空構造部８は、冷蔵室１０の高さ方向の両端面を塞ぐ構成に限定されず、例えば一方の端面のみを塞いでもよいし、該両端面を開口面としてもよい。
【００２９】
また、冷蔵室左扉２のガスケット６には、図２、図５、図６及び図７に示すように、中空構造部８を構成する延伸壁８０から冷蔵室右扉３に向かって突き出し、仕切り部材７と上下のガイドパーツ２０との間にそれぞれ設けた隙間部Ｓ２を塞ぐヒレ部９ａが、上下に設けられている。一方、冷蔵室右扉３のガスケット６にも、中空構造部８を構成する延伸壁８０から冷蔵室左扉２に向かって突き出し、仕切り部材７と上下のガイドパーツ２０との間にそれぞれ設けた隙間部Ｓ２を塞ぐヒレ部９ｂが、上下に設けられている。左右のヒレ部９ａ、９ｂは、冷蔵室左扉２と冷蔵室右扉３とを閉じた際に重なり合って、仕切り部材７とガイドパーツ２０との間に設けた隙間部Ｓ２を塞ぐ構成である。なお、仕切り部材７と下部のガイドパーツ２０との間の隙間部を塞ぐヒレ部については、図示を省略する。
【００３０】
ヒレ部９ａ、９ｂは、隙間部Ｓ２から流れる冷蔵室１０の冷気に直接さらされているため、仕切り部材７の表面よりも温度が低下しやすい。更に、磁性体６１ａは、ガスケット６に比べて熱容量が大きいため、冷蔵庫内の冷却を停止させた場合であっても、温度が上がり難く、特に冷蔵室１０に近接する部分の温度が上がり難い。そのため、磁性体６１ａに隣接するヒレ部９ａ、９ｂの根元部分では、当該磁性体６１ａの影響を受けて、温度が上がり難く、露付きが発生しやすい。従来の冷蔵庫では、ヒレ部９ａ、９ｂの根元部分に露付きが発生しないように加熱部７３の温度を上げて対応しているが、省エネ性に劣ってしまう問題があった。
【００３１】
そこで、上記したように、本実施の形態に係る冷蔵庫１００のガスケット６は、隙間部Ｓ１に側面部８２を隣接させて設けられ、前面板７１を密着させる磁性体６１ａが挿入された磁性体保持部６１と、磁性体保持部６１の側面部８２に設けられ、冷蔵室１０の高さ方向に沿って中空部８ａが形成された中空構造部８と、中空構造部８から隙間部Ｓ１に向かって突き出したヒレ部９ａ、９ｂと、を有している。よって、この冷蔵庫１００は、磁性体保持部６１の側面部８２に設けられた中空構造部８が断熱層として機能するので、仕切り部材７の加熱部７３で余分な加熱を行うことなく、ヒレ部９ａ、９ｂの根元部分の温度を高めることができ、露付きの発生を抑制することができる。
【００３２】
また、冷蔵庫１００は、中空構造部８がヒレ部９ａ、９ｂの根元部分の補強部としても機能する。よって、冷蔵庫１００は、左右扉部１０ａの開閉時に、図２にＢ部として示したヒレ部９ａ（９ｂ）の下端部が、対向する冷蔵室左扉２又は冷蔵室右扉３の側壁面に擦れて損傷する事態を抑制することができる。
【００３３】
また、本実施の形態に係る冷蔵庫１００の中空構造部８は、磁性体保持部６１の側面部８２の高さ方向における一端縁から隙間部Ｓ１に向かって延伸させた延伸壁８０と、該側面部８２の高さ方向における他端縁と延伸壁８０とを繋ぐ連結壁８１と、を有している。そして、中空構造部８の中空部８ａは、磁性体保持部６１の側面部８２と、延伸壁８０と、連結壁８１とで囲まれた範囲によって形成されている。つまり、本実施の形態に係る冷蔵庫１００は、簡易な構造で中空構造部８を形成しているので、加工の手間がかからず、生産性の向上に寄与することができる。
【００３４】
また、本実施の形態に係る冷蔵庫１００の中空構造部８には、冷蔵室１０の高さ方向の両端面を塞ぐ閉塞部８３が設けられている。よって、冷蔵庫１００は、加熱部７３の発熱で発生する上昇気流を防ぐことができ、上昇気流による内部空気の入れ替えを防止することができるので、中空構造部８の表面温度を効果的に上げることができる。
【００３５】
以上に本発明を実施の形態に基づいて説明したが、本発明は上述した実施の形態の構成に限定されるものではない。例えば観音開き式の左右扉部１０ａは、冷蔵室１０に設けた構成に限定されず、その他の貯蔵室に設けてもよい。また、仕切り部材７は、冷蔵室左扉２に取り付けた構成に限定されず、冷蔵室右扉３に取り付けてもよい。要するに、本発明は、その技術的思想を逸脱しない範囲において、当業者が通常に行う設計変更及び応用のバリエーションの範囲を含むものである。
【符号の説明】
【００３６】
１  冷蔵庫本体、２  冷蔵室左扉、３  冷蔵室右扉、４  扉外枠、５  内板、６  ガスケット、７  仕切り部材、８  中空構造部、８ａ  中空部、９ａ、９ｂ  ヒレ部、１０  冷蔵室、１０ａ  左右扉部、１１  製氷室、１１ａ  製氷室扉、１２  小型冷凍室、１２ａ  小型冷凍室扉、１３  野菜室、１３ａ  野菜室扉、１４  冷凍室、１４ａ  冷凍室扉、２０  ガイドパーツ、２１  ガイド突起部、５０  溝部、６０  嵌合部、６１  磁性体保持部、６１ａ  磁性体、６２  可撓部、６３  パッキン、７０  枠部材、７１  前面板、７２  カバー部材、７３  加熱部、７４  断熱材、７５  ガイド部材、７５ａ  ガイド溝、７６  接合部材、８０  延伸壁、８１  連結壁、８２  側面部、８３  閉塞部、１００  冷蔵庫、Ｓ１、Ｓ２  隙間部。
【図１】
2019171533.tif 000003
【図２】
2019171533.tif 000004
【図３】
2019171533.tif 000005
【図４】
2019171533.tif 000006
【図５】
2019171533.tif 000007
【図６】
2019171533.tif 000008
【図７】
2019171533.tif 000009
【手続補正書】
【提出日】令和2年6月26日(2020.6.26)
【手続補正１】
【補正対象書類名】明細書
【補正対象項目名】０００９
【補正方法】変更
【補正の内容】
【０００９】
本発明に係る冷蔵庫は、前面に開口部が設けられ、少なくとも一つの貯蔵室を有する冷蔵庫本体と、前記貯蔵室の開口部を開閉自在に塞ぐ観音開き式の左右扉部と、前記左右扉部の境界に設けられた第１隙間部を前記貯蔵室側から閉塞する仕切り部材と、前記左右扉部の周縁に沿って設けられたガスケットと、を備え、前記仕切り部材は、凹形状の枠部材と、前記枠部材の開口面を塞ぐ前面板と、前記前面板を加熱する加熱部と、を有し、前記貯蔵室の天面及び底面との間に第２隙間部を設けて配置され、前記ガスケットは、前記第１隙間部に側面部を隣接させて設けられ、前記前面板を密着させる磁性体が挿入された磁性体保持部と、前記磁性体保持部の前記側面部に設けられ、前記貯蔵室の高さ方向に沿って中空部が形成された中空構造部と、前記左右扉部を閉じた際に、前記前面板と前記貯蔵室とに密着して前記第２隙間部を塞ぐヒレ部と、を有しており、前記中空構造部は、前記磁性体保持部の前記側面部の高さ方向における一端縁から前記第１隙間部に向かって延伸させた延伸壁を有し、前記ヒレ部は、前記延伸壁から前記第１隙間部に向かって突き出しているものである。
【手続補正２】
【補正対象書類名】特許請求の範囲
【補正対象項目名】全文
【補正方法】変更
【補正の内容】
【特許請求の範囲】
【請求項１】
前面に開口部が設けられ、少なくとも一つの貯蔵室を有する冷蔵庫本体と、
前記貯蔵室の開口部を開閉自在に塞ぐ観音開き式の左右扉部と、
前記左右扉部の境界に設けられた第１隙間部を前記貯蔵室側から閉塞する仕切り部材と、
前記左右扉部の周縁に沿って設けられたガスケットと、を備え、
前記仕切り部材は、凹形状の枠部材と、前記枠部材の開口面を塞ぐ前面板と、前記前面板を加熱する加熱部と、を有し、前記貯蔵室の天面及び底面との間に第２隙間部を設けて配置され、
前記ガスケットは、
前記第１隙間部に側面部を隣接させて設けられ、前記前面板を密着させる磁性体が挿入された磁性体保持部と、
前記磁性体保持部の前記側面部に設けられ、前記貯蔵室の高さ方向に沿って中空部が形成された中空構造部と、
前記左右扉部を閉じた際に、前記前面板と前記貯蔵室とに密着して前記第２隙間部を塞ぐヒレ部と、を有しており、
前記中空構造部は、前記磁性体保持部の前記側面部の高さ方向における一端縁から前記第１隙間部に向かって延伸させた延伸壁を有し、
前記ヒレ部は、前記延伸壁から前記第１隙間部に向かって突き出している、冷蔵庫。
【請求項２】
前記中空構造部は、前記磁性体保持部の前記側面部の高さ方向における他端縁と前記延伸壁とを繋ぐ連結壁を有し、前記左右扉部を閉じた際に、前記前面板と前記貯蔵室のうち、少なくとも一方に密着する構成であり、
前記中空部は、前記側面部と、前記延伸壁と、前記連結壁とで囲まれた範囲によって形成されている、請求項１に記載の冷蔵庫。
【請求項３】
前記中空構造部には、前記貯蔵室の高さ方向の両端面を塞ぐ閉塞部が設けられている、請求項１又は２に記載の冷蔵庫。
【国際調査報告】
2019171533.tif 000010
2019171533.tif 000011
2019171533.tif 000012